(57)【要約】【課題】  撮像装置のレリーズボタンの半押し状態および全押し状態までの押し込みストローク量を、ユーザーの好みに合わせて自由に変更可能としたい。【解決手段】  レリーズボタンが押し込まれるに従って湾曲する部材の歪み具合を歪みセンサで検知し、その出力値が所定の設定値となることで半押し状態および全押し状態と判断する構成とし、ユーザー操作によりそれぞれの状態を判断する設定値を変更できるようにすることで、半押し状態および全押し状態までの押し込みストローク量を変更可能とする。【選択図】  図１
2014021408.tif 000002
【特許請求の範囲】
【請求項１】
撮像装置における歪みセンサを用いたレリーズボタン構成であって、
湾曲する部材の歪み具合を検知する歪みセンサ（１０１）と、
ユーザーが実際に押し込むレリーズボタン（１０２）と、
前記レリーズボタン（１０２）が押し込まれるに従い湾曲する歪み部材（１０３）と、
前記歪みセンサ（１０１）の出力値を検知し、各回路を駆動する制御マイコン（１０４）と、
を有し、
前記レリーズボタン（１０２）が途中まで押し込まれた時にオートフォーカスや露出の撮影準備を行なう半押し状態と、前記レリーズボタン（１０２）がさらに深く押し込まれた時に撮影動作を行なう全押し状態と、
を行なう撮像装置の特徴において、
前記制御マイコン（１０４）は、前記歪みセンサ（１０１）の出力値が予め決められた設定値となった時に前記半押し状態と判断し、予め決められた前記設定値とは別の設定値となった時に前記全押し状態と判断するレリーズボタン構成。
【請求項２】
前記半押し状態および前記全押し状態と判断される２つの設定値は、前記レリーズボタン（１０２）を実際にユーザー自身が押し込みながら、ある位置で撮像装置上の別のボタンを押すことで決定されることを特徴とする請求項１に記載のレリーズボタン構成。
【請求項３】
前記半押し状態および前記全押し状態と判断される２つの設定値は、撮像装置上の表示部材に表示された前記レリーズボタン（１０２）の予め決められた押し込み量を撮像装置上の別のボタンを使用して変更することで、微調整できることを特徴とする請求項１に記載のレリーズボタン構成。
【請求項４】
前記全押し状態は前記半押し状態よりも深く押し込んだ位置となるように、前記半押し状態よりも浅い押し込み位置では前記全押し状態と判断される設定値を設定出来ないことを特徴とする請求項２又は請求項３に記載のレリーズボタン構成。
【発明の詳細な説明】
【技術分野】
【０００１】
本発明は、レリーズボタンの押し込みストローク長の調整を行なう撮像装置に関する。
【背景技術】
【０００２】
従来、撮像装置のレリーズボタンはメカ的な２段スイッチとなっており、１段目のスイッチがＯＮ（以下、半押し状態）するとオートフォーカスや露出等の撮影準備を開始し、２段目のスイッチがＯＮ（以下、全押し状態）することで撮影動作に入る構成となっている。
【０００３】
この構成において、半押し状態及び全押し状態までの押し込みストローク長は、撮像装置製造時に物理的に設定されており、ユーザー自身が自らの好みに合わせてストローク長を変更することは出来ない。
【０００４】
上記問題に対し、例えば特許文献１で提案されているように、ボタンを物理的なスイッチではなく圧力センサを用い、圧力に応じて上記半押し状態及び全押し状態を検出する方法が考えられる。
【先行技術文献】
【特許文献】
【０００５】
【特許文献１】特開平５−１４２６１６
【発明の概要】
【発明が解決しようとする課題】
【０００６】
しかしながら、例えば特許文献１のように物理スイッチを圧力センサに変えてしまうと、いわゆるボタンを押し込むという従来撮像装置の操作性が損なわれてしまう。
【０００７】
本発明は、上記課題を鑑みてなされたものであり、歪みセンサを用いて従来撮像装置の操作性を残しつつ、ユーザー自身が自らの好みに合わせてストローク長を調整可能にすることを目的とする。
【課題を解決するための手段】
【０００８】
上記課題を解決するために本発明に係る撮像装置は、押し込むことで撮影動作を目的とした操作入力とするボタン入力手段と、前記入力手段が押し込まれるに従って湾曲する歪み部材と、前記歪み部材の歪み量を検出してその量に沿った値を出力する歪みセンサと、前記歪みセンサの出力値の検知と各回路の制御を行なう制御マイコンと、を有する撮像装置であって、
前記入力手段であるボタンが押し込まれていくと、前記歪みセンサは前記歪み部材の歪み量に沿った歪曲値を出力し、前記制御マイコンはそれを検知し、予め設定された歪曲値に達すると半押し状態と判断してオートフォーカスや露出等のモードに従った撮影準備を開始し、さらに前記ボタンが押し込まれることで、前記出力とは違う予め設定された歪曲値に達すると全押し状態と判断して撮影動作を開始する構成であり、
前記２つの設定された歪曲値をユーザーが自由に変更可能なモードを持つことを特徴とする。
【発明の効果】
【０００９】
本発明によれば、従来製造時に予め決められていたボタン押し込みストローク量を、ユーザー自身が自らの好みに合わせて自由に調整可能にすることができる。
【図面の簡単な説明】
【００１０】
【図１】歪みセンサを利用したレリーズボタンを示す概要図である。
【図２】ストローク量に従い歪みセンサの出力値が変化することを示す概要図である。
【図３】半押し状態までのストローク量を設定する表示を示す概要図である。
【図４】全押し状態までのストローク量を設定する表示を示す概要図である。
【図５】半押し状態及び全押し状態までのストローク量を微調整する表示を示す概要図である。
【発明を実施するための形態】
【００１１】
以下、本発明を図面に基づいて詳しく説明する。
【実施例１】
【００１２】
図１は、本発明の第１の実施形態における、歪みセンサを使用したレリーズボタン構成とカメラの一部の構成を示すシステム概要図である。システム構成（１００）では、レリーズボタン（１０２）がユーザーにより押し込まれることにより、歪み部材（１０３）が湾曲すると、歪みセンサ（１０１）は前記歪み部材（１０３）の湾曲状態を検知し、カメラ制御マイコン（１０４）に対し所定の通信を用いて前記湾曲状態を出力する。
【００１３】
まず図１を用いて、撮像装置の一般動作について説明する。
【００１４】
図１において撮像装置は、不図示の電源スイッチがＯＮされると、制御マイコン（１０４）は動作を開始し、レリーズボタン（１０２）の状態検知の準備に入る。ユーザーによりレリーズボタン（１０２）が押し込まれていくと、ある所定の押し込み位置（以下、半押し状態）において、オートフォーカスや露出設定など撮影のための準備に入る。さらにレリーズボタン（１０２）が押し込まれ、前記所定の押し込み位置とは違う押し込み位置（以下、全押し状態）に達すると、不図示の撮像ブロックを制御することで撮影動作を開始する。
【００１５】
次に図１、図２を用いて、歪みセンサを使用したレリーズボタンの一般動作について説明する。
【００１６】
図２において、横軸はレリーズボタンの押し込みストローク量、縦軸は前記レリーズボタンが押し込まれることにより湾曲する前記歪み部材（１０３）の湾曲状態を検知してその状態に応じた値として出力される前記歪みセンサ（１０１）の出力値であり、ストローク量に応じて歪みセンサの出力値が変わることを表している。この歪みセンサ出力値をカメラ制御マイコンが検知することにより、カメラ制御マイコン（１０４）はどの位レリーズボタンが押し込まれているかを判断することができる。
【００１７】
図３、図４を用いて、実際に押し込みストローク量を設定する動作について説明する。
図３において、撮像装置はユーザー操作によりストローク量設定モードに入るとバーグラフ（３０１）を表示し、ボタンが押し込まれていない状態を０、全部押し込まれた状態を１００とする。まず半押し状態までのストローク量を設定するモードに入り、実際にレリーズボタンを押し込んで行くに従って半押しストローク量を示すマークＡ（３０２）が移動し、好みのストローク位置にて不図示の決定ボタンを押すことで半押し状態までのストローク量を決定する。
【００１８】
次に図４において、撮像装置はユーザー操作により全押し状態までのストローク量設定モードに入ると、図３のバーグラフ（３０１）と同じバーグラフ（４０１）と、半押しストローク量を示すマークＡ（４０２）を表示し、実際にレリーズボタンを押し込んで行くに従って全押しストローク量を示すマークＢ（４０３）が移動し、好みのストローク位置にて不図示の決定ボタンを押すことで全押し状態までのストローク量を決定する。このとき、半押し状態までのストローク量より小さいストローク量である時には、マークＡ（４０２）よりもマークＢ（４０２）が大きい値の位置になるよう注意を促す表示を行なう。
【００１９】
また、全押し状態までのストローク量が半押し状態までのストローク量よりも小さい時には、前記決定ボタンを押してもストローク量を設定できない。
【００２０】
上記実施形態において、設定したマークＡ（３０２）および（４０２）とマークＢ（４０２）のストローク量を、バーグラフ（３０１）および（４０１）に換算して０％〜１００％の数値を表示してもよい。
【００２１】
以上のように、歪みセンサを使用してボタンの押し込み量を検知することにより、半押し状態及び全押し状態までのストローク量をユーザーの好みに応じて自由に変更することが可能となる。
【実施例２】
【００２２】
本発明における第２の実施形態での歪みセンサを使用したレリーズボタンおよび撮像装置の構成、一般動作は第１の実施形態における図１、図２と同じであるため、説明は省略する。
【００２３】
図５において、撮像装置はユーザー操作によりレリーズボタンのストローク量微調整モードに入ると、ボタンが押し込まれていない状態を０、全部押し込まれた状態を１００としたバーグラフ（５０１）を撮像装置上の表示部材に表示し、予め設定された半押し状態までのストローク量を示すマークＡ（５０２）と、全押し状態までのストローク量を示すマークＢ（５０３）を表示し、それぞれのマークの位置を撮像装置上の不図示の入力部材により左右に移動でき、不図示の決定ボタンを押すことでそれぞれの状態までのストローク量を設定できる。このとき、マークＢ（５０３）はマークＡ（５０２）よりも小さい値へは移動できない。
【００２４】
上記実施形態において、設定したマークＡ（５０２）とマークＢ（５０３）のストローク量を、バーグラフ（５０１）に換算して０％〜１００％の数値を表示してもよい。
【００２５】
以上のように、半押し状態および全押し状態までのストローク量を、表示されたバーグラフを用いて微調整できるようにすることで、ストローク量を変更したい時に再度押し込みながら設定する煩わしさを解消できるし、各ユーザーの好みのストローク量を理想的に再現しやすくなる。
【符号の説明】
【００２６】
１００  歪みセンサを用いたレリーズボタン構成
１０１  歪みセンサ
１０２  レリーズボタン
１０３  歪み部材
１０４  制御マイコン
３０１  第１の実施形態におけるバーグラフ
３０２  第１の実施形態における半押し状態までのストローク量を示すマークＡ
４０１  第１の実施形態におけるバーグラフ
４０２  第１の実施形態における半押し状態までのストローク量を示すマークＡ
４０３  第１の実施形態における全押し状態までのストローク量を示すマークＢ
５０１  第２の実施形態におけるバーグラフ
５０２  第２の実施形態における半押し状態までのストローク量を示すマークＡ
５０３  第２の実施形態における半押し状態までのストローク量を示すマークＢ
【図１】
2014021408.tif 000003
【図２】
2014021408.tif 000004
【図３】
2014021408.tif 000005
【図４】
2014021408.tif 000006
【図５】
2014021408.tif 000007